(57)【要約】上端部と底端部が開放した円錐台形の本体２形式の使い捨て紙容器ホルダー。前記使い捨て紙容器ホルダーは前記本体の全体にわたって分布する複数の窪みで構成される。前記窪みは、前記本体から内向きに突起する複数のデボス加工された窪みと、前記本体から外向きに突起する複数のエンボス加工された窪みと、で構成されて前記本体の内面と外面間の距離を最大化し、それによって遮熱効果を向上させる。前記使い捨て紙容器ホルダーを使い捨て紙容器と一体化して、一体化した使い捨て紙容器を提供することができる。【選択図】図２
2010531284.tif 000002
【特許請求の範囲】
【請求項１】
上端部と底端部が開放した円錐台形の本体２形式の使い捨て紙容器ホルダーであって、前記本体２の全体にわたって分布する複数の窪みで構成されることを特徴とし、当該窪みは、前記本体２から内向きに突起する複数のデボス加工された窪みと前記本体から外向きに突起する複数のエンボス加工された窪み３とからなることを特徴とし、さらに、各デボス加工された窪みが相対するエンボス加工された窪みの領域内位置に置かれることを特徴とする、使い捨て紙容器ホルダー。
【請求項２】
上端部と底端部が開放した円錐台形の本体２形式の使い捨て紙容器ホルダーであって、前記本体２の全体にわたって分布する複数の窪み３で構成されることを特徴とし、当該窪み３は、前記本体から内向きに突起する複数のデボス加工された窪みと前記本体から外向きに突起する複数のエンボス加工された窪みとで構成されることを特徴とし、さらに、各デボス加工された窪みが相対するエンボス加工された窪みの領域内位置に置かれることを特徴とする、使い捨て紙容器ホルダー。
【請求項３】
請求項１または２において特許請求の前記ホルダーと一体化したカップ。
【発明の詳細な説明】
【技術分野】
【０００１】
本発明は、使い捨て紙容器用ホルダーに関し、特に、使い捨て紙容器のホルダーと、ホット飲料が入れられた際にユーザーの手を守る同ホルダーが糊付けされたカップと、に関する。
【背景技術】
【０００２】
従来の使い捨て紙カップホルダーは上端部と底端部が開放した円錐台形のケーシングに形成されている。前記従来のケーシングの代表実施例には、本体と、前記本体の内周面に取り付けられた波形シートと、窪みが本体の全体にわたって分布する窪み付きケーシングと、からなる波形ケーシングが含まれる。しかしながら、前記波形ケーシングには、構成が複雑であり製造コストが過剰に高いという欠点があり、前記窪み付きケーシングでは、前記窪み単独で十分な遮熱効果を達成することができない。特に、従来のカップホルダーは使い捨て製品として製造されるので、前記従来のカップホルダーは、好ましくは古紙や廃紙を叩解することによって得られるパルプからなる。前記結果として得られるパルプ製の紙カップホルダーは、その表面張力が低いために、比較的に高さの高い窪みを採用すると、その窪みが容易に破れたり破裂したりするという問題がある。さらに、前記窪みが大きくなるほど、ユーザーが前記カップホルダーを握る際にその手の握力によって前記窪みが容易に潰されるようになる。結論として、前記窪み付きの紙カップホルダーには実質的に実用的な効果と有用性がない。
【発明の概要】
【発明が解決しようとする課題】
【０００３】
従って、本発明は上記問題点に鑑みてなされたものであり、本発明の目的は、古紙や廃紙を叩解することによって得られるパルプ製のホルダー本体の構成により遮熱効果を向上させるように改良されていることを特徴とする使い捨て紙カップ用ホルダーを提供することである。
【０００４】
使い捨て紙カップホルダーが古紙や廃紙などから作られる場合、前記カップホルダーの本体に形成される窪みの高さやサイズを大きくすることは困難であることから、十分な遮熱効果を達成することが困難である。この問題を解決すべく、本発明の発明者は、窪みがホルダー本体に形成されて前記本体の内向きと外向きに突起することを特徴とする本発明の使い捨て紙カップホルダーを開発した。この構成により、前記内向きに突起する窪みと前記外向きに突起する窪みのうちの任意の１つの窪み高さが低い場合でさえも、相対する内向きに突起する窪みの高さと、外向きに突起する窪みの高さと、の合計高さにより、前記ホルダー内のカップとユーザーの手との間に十分な距離を確保できる。高さの低い窪みを許容することにより、古紙や廃紙を利用して前記カップホルダーを作ることができるという効果が得られる。加えて、本発明の発明者は、前記外向きに突起するエンボス加工された窪みよりも小さいサイズの、少なくとも１つの内向きに突起するデボス加工された窪みを、各外向きに突起するエンボス加工された窪みの中心位置に置き、それによって前記外向きに突起するエンボス加工された窪みの支柱としての機能を果たさしめることを提案する。その結果、本発明のカップホルダーには、ユーザーが前記カップホルダーを握る際にユーザーの手の握力によって前記エンボス加工された窪みが潰される危険がない。
【図面の簡単な説明】
【０００５】
【図１】ＡとＢは、さまざまに異なる従来のカップホルダーを例示する斜視図である。
【図２】本発明の例示的実施形態に係る使い捨て紙容器ホルダーを図示する斜視図である。
【図３】図２に示した使い捨て紙容器ホルダーの断面図である。
【図４】ＡとＢは、本発明の例示的実施形態に係る使い捨て紙容器ホルダーの展開図との断面図である。
【図５】本発明の例示的実施形態に係る使い捨て紙容器を図示する断面図である。
【発明を実施するための形態】
【０００６】
本発明の例示的実施形態によれば、上端部と底端部が開放し、前記ケーシングを有する円錐台形のホルダーは複数の窪み３を有する本体２で構成され、該窪みは前記本体２の全体にわたって分布し、前記本体２の内向きと外向きに突起するように構成される。
【０００７】
再生紙の代わりに新しいパルプ製の紙を用いて窪みを形成する場合、その窪みは４〜５ｍｍ範囲の深さを有するように形成できるため、優れた遮熱効果を持つ紙を実現できる。しかしながら、古紙や廃紙を処理加工することによって得られる再生パルプ製の紙を用いて窪みを形成する場合には、必要な窪み高さ４ｍｍ以上の窪みを得ることは困難である。この問題を解決するため、本発明の例示的実施形態によれば、前記窪みには、前記本体２から内向きに突起するデボス加工された窪み３２と、前記本体２から外向きに突起するエンボス加工された窪み３１と、が含まれる。好ましくは、前記相対する内向きに突起する窪みの高さと、外向きに突起する窪みの高さとの合計高さが３〜８ｍｍの範囲になるように、前記内向きに突起するデボス加工された窪み３２と、外向きに突起するエンボス加工された窪み３１とは４ｍｍ以下の高さを有する。その結果、本発明の例示的実施形態に係る使い捨て紙容器ホルダー１と、それと一体化される使い捨て紙容器１０は、古紙や廃紙などを処理加工することによって得られる再生パルプを用いてさえも製造することができる。
【０００８】
本発明の例示的実施形態によれば、前記内向きに突起するデボス加工された窪み３２のサイズと数量は、前記外向きに突起するエンボス加工された窪み３１のサイズと数量以下に構成される。これは、前記本体２から外向きに突起するエンボス加工された窪み３１の占める面積が前記本体２から内向きに突起するデボス加工された窪み３２の占める面積よりも大きくなることを可能にする。これには、ユーザーの手が前記本体２に接触ことなしに前記外向きに突起する窪み３１に接触し、それによってユーザーの手が前記ホット飲料や食品から守まれるという点で追加的利点がある。
【０００９】
本発明の例示的実施形態によれば、前記窪み３は３〜１５０ｍｍの直径範囲と０.２〜４ｍｍの高さ範囲を持つ。本発明の態様によれば、前記外向きに突起するエンボス加工された窪み３１の直径乃至サイズが前記デボス加工された窪み３２の直径乃至サイズよりも大きい場合には、少なくとも１つのデボス加工された窪み３２を各エンボス加工された窪み３１に形成することができる。これにより、前記エンボス加工された窪み３１を有利に補強できるという効果が得られるとともに、前記ホルダー１の本体２、または一体化された使い捨て紙容器１０と、ユーザーの手との間に安全な距離が確保される。その結果、本発明の使い捨て紙容器ホルダー１には、ユーザーの手の握力によって部分的に潰されたり、歪んだりする危険性がない。
【００１０】
上記説明から明らかなように、本発明は前記カップ１と一体化した使い捨て紙容器本体２を提供する。
【００１１】
本発明の例示的実施形態は例示的な目的で開示したものであって、当業者であれば、種々の変更、付加および代替を添付の特許請求の範囲で開示した本発明の範囲内において真の趣旨から逸脱することなく行い得ることを理解されるであろう。
【図１（Ａ）】
2010531284.tif 000003
【図１（Ｂ）】
2010531284.tif 000004
【図２】
2010531284.tif 000005
【図３】
2010531284.tif 000006
【図４（Ａ）】
2010531284.tif 000007
【図４（Ｂ）】
2010531284.tif 000008
【図５】
2010531284.tif 000009
【国際調査報告】
2010531284.tif 000010
2010531284.tif 000011